(57)【要約】  本発明による電解式点火器は、第１の電極を構成する噴射器（２）と、絶縁体（４）によって噴射器（２）から電気的に絶縁され且つ噴射器（２）の下流側に延びる第２の電極（５）と、第１の単元推進薬のためのタンク（１２）と、タンク（１２）と分配チャネルとの間に設けられた電磁弁（１１）とを有する。分配チャネルは、第１の単元推進薬を、それを噴射する噴射装置に分配する。この噴射装置は、第２の電極（５）の近くで開口する噴射孔（１）によって構成される。電解式点火器の電力供給回路は、第２の電極（５）を第１の電極（２）の電位に対して５０〜１０００Ｖの電位まで上昇させる。第１の単元推進薬の自由ジェット中におけるイオン伝導による電力の消費により、第１の単元推進薬の自然分解及び燃焼ガス（１４）の生成が開始され、第２の電極（５）の近くに配置された主噴射器から噴射される第２の単元推進薬のジェットの点火を確保する。
2010523877.tif 000002
【特許請求の範囲】
【請求項１】
単元推進薬ロケットエンジンであって、
主燃焼室（１７）と、電解式点火器と、主噴射器（１５）とを有し、
前記電解式点火器は、第１の電極を構成する噴射器（２）を含み、前記噴射器（２）は、導電性である第１の液体単元推進薬を噴射する装置（１）を含み、
前記電解式点火器は、更に、絶縁体（４）によって前記噴射器（２）から電気的に絶縁された第２の電極（５）と、第１の液体単元推進薬のためのタンク（１２）と、前記タンク（１２）と分配チャネル（３）との間に介在する電磁弁（１１）と、を有し、前記分配チャネルは、第１の液体単元推進薬を噴射する前記装置（１）中に第１の液体単元推進薬を小出しするのに役立ち、前記装置（１）は、前記第２の電極（５）の近くで開口する少なくとも１つの噴射孔（１）によって構成され、
前記電解式点火器は、更に、電力供給回路を有し、
前記主噴射器（１５）は、第２の液体単元推進薬のジェットを前記ロケットエンジンの主燃焼室（１７）の中に噴射するように前記第２の電極（５）の近くに位置し、
前記第２の電極（５）は、前記噴射器（２）を越えて下流側に延び、
第１の液体単元推進薬は、前記噴射孔（１）を経て自由ジェットの形態で噴射され、前記噴射器（２）の本体の外側に位置する領域で前記第２の電極（５）に当たり、
前記電力供給回路は、前記第２の電極（５）を前記第１の電極（２）の電位に対して５０Ｖ〜１０００Ｖの範囲内の電位まで上昇させるように構成され、
前記噴射孔（１）を経て噴射された第１の液体単元推進薬の自由ジェット中におけるイオン伝導による電力の消費により、第１の液体単元推進薬の自然分解及び燃焼ガス（１４）の生成を引起こすのに十分な温度上昇を生じさせ、前記主噴射器（１５）から供給される第２の液体単元推進薬のジェットの点火を保証する、ロケットエンジン。
【請求項２】
前記噴射孔（１）から噴射される第１の液体単元推進薬の自由ジェット中におけるイオン伝導による電力の消費は、毎秒１ｇ当たり１００〜１０００Ｗであり、５０００〜２０，０００℃／ｓの温度上昇を生じさせることが可能である、請求項１に記載のロケットエンジン。
【請求項３】
前記第２の電極（５）は、中央に配置され、
第１の液体単元推進薬のための複数の噴射孔（１）及び前記主噴射器（１５）の出口は、前記中央電極（５）の周りに配置される、請求項１又は２に記載のロケットエンジン。
【請求項４】
第１の液体単元推進薬を噴射する前記装置は、環状チャネル（１０１）を含む、請求項１に記載のロケットエンジン。
【請求項５】
前記第２の電極（５）は、タングステン又はタングステン／レニウム系の耐熱金属で作られる、請求項１〜４の何れか１項に記載のロケットエンジン。
【請求項６】
前記タンク（１２）内に存在する第１の液体単元推進薬は、第２の液体単元推進薬を噴射する前記噴射装置（１５）によって送出される第２の液体単元推進薬と同一の組成によって構成される、請求項１〜５の何れか１項に記載のロケットエンジン。
【請求項７】
第１の液体単元推進薬は、ニトレートの水溶液及び水溶性燃料を含む、請求項１〜６の何れか１項に記載のロケットエンジン。
【請求項８】
前記ニトレートの水溶液は、ヒドロキシアンモニウムニトレート、アンモニウムジニトラミド、又はヒドラジニウムニトロホルメートを含む、請求項７に記載のロケットエンジン。
【請求項９】
前記水溶性燃料は、アルコール又はトリエタノールアンモニウムニトレートを含む、請求項７又は８に記載のロケットエンジン。
【請求項１０】
前記電力供給回路は、ＤＣ電源（１０，７）と、少なくとも１つのキャパシタ（８）と、スイッチ（９）とを有し、
前記第１の電極を構成する前記噴射器（２）は、電気的な接地に近い電位を有する、請求項１〜９の何れか１項に記載のトーチ。
【請求項１１】
前記スイッチ（９）は、電力トランジスタ又はサイリスタを含む、請求項１０に記載のトーチ。
【請求項１２】
前記キャパシタ（８）及び前記スイッチ（９）は、前記点火器の本体に固定されたハウジング（５０）内に収容される、請求項１０又は１１に記載のトーチ。
【請求項１３】
前記電力供給回路は、ＤＣ電源（１０）と、少なくとも１つのキャパシタ（８）と、チョッパ回路（９１）と、電圧上昇型変圧器とを有し、
前記電圧上昇型変圧器は、互いに電気的に絶縁された一次側と二次側を有し、前記一次側は、前記チョッパ回路（９１）に接続され、前記二次側は、前記第２の電極（５）と前記第１の電極を構成する前記噴射器（２）との間に接続される、請求項１〜９の何れか１項に記載のトーチ。
【請求項１４】
前記絶縁体（４）は、自由に膨張することができるように取付けられた第１の絶縁体部分（４１）と、前記第２の電極（５）と絶縁体支持部（１９）との間を密封する第２の絶縁体部分（４２）とを有する、請求項１〜１３の何れか１項に記載のトーチ。
【請求項１５】
前記第１の絶縁体部分（４１）は、窒化硼素又はアルミナで作られた少なくとも１つのセラミックブロックを含む、請求項１４に記載のトーチ。
【請求項１６】
前記第２の絶縁体部分（４２）は、アルミナで作られ、最初に前記第２の電極（５）にろう付けされ、次いで前記絶縁体支持部（１９）にろう付けされる、請求項１４又は１５に記載のトーチ。
【請求項１７】
前記第２の絶縁体部分（４２）は、可撓性材料で作られ、前記可撓性材料は、ＰＴＦＥ、ＰＴＦＣＥ、ベスペル（Vespel；登録商標）、及びガラス繊維入りＰＴＦＥのうちの１つを含み、
前記第２の絶縁体部分（４２）は、前記絶縁体支持部（１９ａ）に取付けられたパッキン（２３）内に設けられる、請求項１４又は１５に記載のトーチ。
【請求項１８】
前記第２の絶縁体部分（４２）は、同軸ケーブル（２４）用のコネクタ（２５）を受け入れる同軸ケーブルソケット（５２）と組合わされる、請求項１４又は１５に記載のトーチ。
【請求項１９】
前記電力供給回路は、前記第２の電極（５）を、前記噴射器によって構成された第１の電極の電位に対して１００Ｖ〜５００Ｖの電位まで上昇させるように構成される、請求項１〜１８の何れか１項に記載のトーチ。
【発明の詳細な説明】
【技術分野】
【０００１】
本発明は、単元推進薬ロケットエンジン用の電解式点火器、及び、かかる電解式点火器が取付けられた単元推進薬ロケットエンジンに関する。
【背景技術】
【０００２】
液体推進薬が供給されるロケットエンジンは、一般に、自己点火によって、又は、火工点火によって、又は、トーチを用いる電気点火によって点火される。
【０００３】
自己点火は、よく知られている自己点火性推進薬、例えばモノメチルヒドラジン（ＭＭＨ）、過酸化窒素（Ｎ2Ｏ4）を利用するが、自己点火性推進薬は、高いレベルの毒性を有し、実際には、３３０秒に制限された比推力しか有しない。
【０００４】
液体酸素及び炭化水素で動作するいくつかロケットエンジンは、自己点火性液体を液体酸素と共に噴射することによって点火され、例えば、ロシアの供給元であるＮＰＯエネルゴマシュ（Energomash）から入手できるＲＤ−１８０エンジンで行われているように、有機金属化合物を用いることによって点火される。
【０００５】
しかしながら、自己点火は、別の面倒な問題を生じさせる。酸素で自己点火する或る液体、例えば有機金属化合物は、空気中で自発的に燃焼可能であり、毒性であり、接触により火傷を負わせる。従って、かかる液体は、安全上の問題を有する。
【０００６】
自己点火性ではない推進薬の組合せ、例えば、液体酸素と液体水素、又は、液体酸素と炭化水素は、一般に、火薬によって点火されるか（Vulcain及びＨＭ７エンジン）、トーチによって点火されるか（Vinciエンジン）のいずれかである。電気点火器（スパークプラグ）も、或る低温エンジンに用いられる。トーチ点火器は、一般に、点火用スパークプラグを含む。両方の場合において、用いられる高い電圧（１０〜２０キロボルト（ｋＶ））は、難題を生じさせる場合がある。トーチ点火器又はスパークプラグ点火器は、火工点火に勝る決定的な利点を有し、即ち、点火回数は、事実上無制限である。
【０００７】
第４の解決策である触媒式点火は、発熱分解する単元推進薬（ヒドラジン、過酸化水素）又はガス状混合物（酸素と水素）を使用する。ヒドラジンは、触媒によって分解し且つ高レベルの毒性を有する単元推進薬である。
【０００８】
最近、新規な無毒性単元推進薬が現われ、これら単元推進薬は、燃料が添加された水溶液中のニトレート（硝酸塩）である。ニトレートは、例えば、ヒドロキシルアンモニウムニトレート（ＨＡＮ; hydroxylammonium nitrate）、アンモニウムジニトラミド（ＡＤＮ; ammonium di-nitramide）又はヒドラジニウムニトロホルメート（ＨＮＦ; hydrazinium nitro-formate）によって構成されるのがよい。
【０００９】
有機ニトレート、例えばイソプロピルニトレートを主成分とする液体単元推進薬が、高圧下の自然分解の条件下において用いられており、かくして、触媒の使用を回避することを可能にし、燃焼室内の圧力は、３〜５メガパスカル（ＭＰａ）である。この構成は、特に、ＳＥＰＲによって１９６０年代に開発された一人乗りＶＴＯＬチェア“Ｌｕｄｉｏｎ”に用いられた。反応は、火薬によって開始された。しかしながら、この解決策は、１回の使用に、又は、多数回分の火薬が用いられる場合であっても少ない回数の点火に制限される。かくして、かかる制限は、多数回の連続点火を必要とする適用例と両立しない。
【００１０】
多数回の点火は、或る環境において、例えば、人工衛星又は惑星着陸船の姿勢制御において、主推進を用いる逆噴射ロケットがパルスモードで動作する着陸において、及び、多くのペイロードを有する発射台のトップステージにおいて、絶対に必要である。
【００１１】
多数回の点火を必要とする適用例では、電気式点火器（スパークプラグ、トーチ等）又は自己着火を利用することが普通である。
【００１２】
しかしながら、スパークプラグによる点火は、初期の圧力上昇を確保するのに十分なエネルギーを送出しない。
【００１３】
トーチによる点火は、単元推進薬が液体状態にある場合、ガス状態にある他の推進薬の使用を必要とする。このことは、別の面倒な問題を生じさせる。
【００１４】
自己着火では、２種類の推進薬による推進システム（例えば、ＭＭＨ−Ｎ2Ｏ4系の推進システム）において、同様の面倒な問題を生じさせる。
【００１５】
しかしながら、推進薬を電解作用で迅速に加熱する別の方法も存在する。１つのかかる方法は、例えば、電熱式スラスタ及びその給電装置に関する特許文献１（仏国特許第１５９８９０３号明細書）に記載されている。
【００１６】
図３は、電解作用で点火されるプラズマスラスタの電気回路の概略図である。
【００１７】
サイリスタ１９０又は電力トランジスタは、制御回路１９１の制御下で、推進薬中に浸漬された２つの同軸の電極１３３，１３０に電圧差を生じさせることを可能にし、推進薬は、特に、ヨウ化ナトリウムの添加によって導電性にされたグリセリンによって構成される。キャパシタ１０８によって付与される電圧の影響を受けて、電解溶液のジュール効果加熱により、沸騰が１ミリ秒未満で迅速に生じ、次に中央電極１３３の周りのチャネル内にプラズマ放電が生じる。
【００１８】
最大電流５０アンペア（Ａ）及び電圧４００ボルト（Ｖ）で、瞬時電力が１０ミリグラム（ｍｇ）の物質の場合、２０キロワット（ｋＷ）に達する場合がある。
【００１９】
１キログラム当たり１メガジュール（１ＭＪ／ｋｇ）のエンタルピーを達成するために、推進薬が既に蒸発している場合、５０マイクロ秒（μｓ）の持続時間で十分である。この放電により、絶縁シース１２６によって包囲されたイオン化室中での主放電がトリガされ又は引起こされ、この絶縁シースは、ノズル１２７によって延長され、ノズル１２７は又、アーク室のためのアノードを構成する。瞬時電力は、１メガワット（ＭＷ）に達し、このエネルギー（３００ジュール（Ｊ））は、３０ＭＪ／ｋｇの平均エンタルピーを生じさせるのに十分である。
【００２０】
主キャパシタ１８１，１８２，１８３及び補助キャパシタ１０８のバッテリは、単一の電力供給回路１０７によって充電される。
【００２１】
図４は、中央電極１３３とカソード１３０を示す詳細図であり、中央電極１３３とカソード１３０は一緒になって、毛管作用によって液体１３１が充填される環状空間１３２を構成する。中央電極１３３は、導体１３４に接続され、この導体は、サイリスタ１９０に接続されている。予備放電プラズマは、放電室１２５中に入り込む。
【００２２】
また、１９７０年代において、ヒドラジン分解を達成する電解式点火が提案された。「単元推進薬電解式点火器」と題する特許文献２（米国特許第３８６１１３７号明細書）は、２つの多孔質電極とその間の絶縁体を構成するセラミックフェルトとを用いるシステムを記載している。電極間の電圧は、２Ｖ〜３０Ｖの範囲内にある。電解によって形成されたイオンの加熱と、絶縁体上のルテニウムの非導電性層の触媒作用との組合せの結果、点火が生じる。分解は、下流側に配置された格子上で続く。
【００２３】
「発熱推進薬の分解を開始させる装置」と題する特許文献３（米国特許第３６５１６４４号明細書）は、燃焼室の全長にわたって延びる同軸壁のシステムを記載している。用いられる単元推進薬は、主として、ヒドラジンである。電極間の電圧は、２８Ｖのオーダーのものである。電解により放電を開始させることを可能にするための措置は施されていない。サーマルベッド（thermal bed）が、分解を終了させる。
【００２４】
上述した２つの特許文献の両方において、ヒドラジンの抵抗率が高いので、面積／厚さの比を増大させることを目的とする。
【００２５】
最近の論文である非特許文献１は、ＡＤＮの溶液の電解式点火を得ることを可能にする実験装置を記載している。液体は、誘電管（Ｄ＝９ミリメートル（ｍｍ）、Ｌ＝２５ｍｍ）内に閉じ込められる。液体は、キャパシタのバッテリによって配送される５０００Ｖの電圧を受ける。数ミリ秒のうちに、点火が得られる。液体の柱の長さ／断面積の比により、高電圧を必要とする。
【００２６】
特許文献４（米国特許第６０８４１９８号明細書）は、低圧トリガ放電用ガス状媒体と関連した補助電極を用いる電磁流体発電（ＭＰＤ）推進薬の放電を開始させる又はトリガする装置を開示している。
【先行技術文献】
【特許文献】
【００２７】
【特許文献１】仏国特許第１５９８９０３号明細書
【特許文献２】米国特許第３８６１１３７号明細書
【特許文献３】米国特許第３６５１６４４号明細書
【特許文献４】米国特許第６０８４１９８号明細書
【非特許文献】
【００２８】
【非特許文献１】アンダース・ラーソン（Anders Larsson），ニクラス・ウィングボーグ（Niklas Wingborg），マチアス・エルフバーグ（Mattias Elfberg）及びパトリック・アペルグレン（Patrick Appelgren），「液体単元推進薬を主成分とするＡＤＮの特性及び電気点火」，２００５年５月，インターナショナル・スタンダード・シリアル・ナンバー（ISSN）１６５０．１９４２
【非特許文献２】Ｃ．カッペンステイン（Kappenstein），Ｎ．ピレット（Pillet）及びＡ．メルチオール（Melchior）共著，「ニトロゲンを主成分とする新しい単元推進薬（HAN, AＤN, HNF）、濃縮イオン水溶液の物理化学」
【発明の概要】
【発明が解決しようとする課題】
【００２９】
本発明は、上述した欠点を解決すること、特に、使用するのに火工点火器よりも高い融通性を有する点火器を構成可能にすることを目的とする。
【００３０】
特に、本発明は、多数回の点火を実施することを可能にすることを目的とし、かかる多数回の点火は、少なくとも、多くのペイロードのトップステージにおいて、発射台又は惑星着陸船の姿勢制御において、及び、逆噴射ロケットが惑星ミッションのためにパルスモードで動作する着陸（無毒性推進薬を用いた主推進）において、絶対に必要である。
【００３１】
本発明は又、点火器が真空中でも、圧力下でも、シミュレーション高度でも、等しく良好に動作することを可能にすることを目的としている。
【００３２】
本発明は又、液体単元推進薬ロケットエンジンに適用可能であるように単純化された構成の点火器を提供することを目的とし、特に、安全上の問題を引起こすことがなく、燃焼室のサイズとは関係なく燃焼室のための確実な又は信頼性のある点火を可能にし、非常に高いレベルの瞬時電力が配送される点火器を提供することを目的とする。
【課題を解決するための手段】
【００３３】
本発明によれば、上記目的は、単元推進薬ロケットエンジンであって、主燃焼室と、電解式点火器と、主噴射器とを有し、電解式点火器は、第１の電極を構成する噴射器を含み、噴射器は、導電性である第１の液体単元推進薬を噴射する装置を含み、電解式点火器は、更に、絶縁体によって噴射器から電気的に絶縁された第２の電極と、第１の液体単元推進薬のためのタンクと、タンクと分配チャネルとの間に介在する電磁弁と、を有し、分配チャネルは、第１の液体単元推進薬を噴射する装置中に第１の液体単元推進薬を小出しするのに役立ち、第１の液体単元推進薬を噴射する装置は、第２の電極の近くで開口する少なくとも１つの噴射孔によって構成され、電解式点火器は、更に、電力供給回路を有し、主噴射器は、第２の液体単元推進薬のジェットをロケットエンジンの主燃焼室の中に噴射するように第２の電極の近くに位置し、第２の電極は、噴射器を越えて下流側に延び、第１の液体単元推進薬は、噴射孔を経て自由ジェットの形態で噴射され、噴射器の本体の外側に位置する領域で第２の電極に当たり、電力供給回路は、第２の電極を第１の電極の電位に対して５０Ｖ〜１０００Ｖの範囲内の電位まで上昇させるように構成され、噴射孔を経て噴射された第１の液体単元推進薬の自由ジェット中におけるイオン伝導による電力の消費により、第１の液体単元推進薬の自然分解及び燃焼ガスの生成を引起こすのに十分な温度上昇を生じさせ、主噴射器から供給される第２の液体単元推進薬のジェットの点火を保証する、ロケットエンジンによって達成される。
【００３４】
有利には、噴射孔から噴射される第１の液体単元推進薬の自由ジェット中におけるイオン伝導による電力の消費は、毎秒１ｇ当たり１００〜１０００Ｗであり、５０００〜２０，０００℃／ｓの温度上昇を生じさせることが可能である。
【００３５】
有利には、電力供給回路は、第２の電極を、噴射器によって構成された第１の電極の電位に対して１００Ｖ〜５００Ｖの範囲内の電位まで上昇させるように構成される。
【００３６】
本発明では、タンク内に存在する第１の液体単元推進薬は、第２の液体単元推進薬を噴射する噴射装置によって送出される第２の液体単元推進薬と同一の組成によって構成される。
【００３７】
第１の液体単元推進薬は、有利には、ニトレートの水溶液及び水溶性燃料を含む。
【００３８】
ニトレートの水溶液は、ヒドロキシアンモニウムニトレート、アンモニウムジニトラミド、又はヒドラジニウムニトロホルメートを含むのがよい。
【００３９】
水溶性燃料は、アルコール又はトリエタノールアンモニウムニトレートを含むのがよい。
【００４０】
点火プロセスは、次のようにして起こり、即ち、第１の電極を構成する噴射器から噴射された１つ又は２つ以上の電界液（第１の単元推進薬）ジェットが、噴射器の電位に対して数百ボルトの電位にある第２の電極に当たる。これにより、高密度の電流を、第１の単元推進薬によって構成される電解液中に生じさせ、電解液の加熱を迅速に引き起こし、次に、おそらくは、電気アークを形成する。
【００４１】
点火を次の１つ又は２つ以上の仕方で生じさせるのがよく、かかる仕方は、電気アークを蒸気流れ中に絶縁破壊によって生じさせる仕方、液体の塊の中でその温度を上昇させ、液体単元推進薬の自然分解を生じさせる仕方、及び、電極のところに活性化学種を形成する仕方である。
【００４２】
考えられる１つの実施形態では、第２の電極は、中央に配置され、第１の単元推進薬のための複数の噴射孔は、主噴射器の出口と一緒に、中央電極の周りに配置される。
【００４３】
変形実施形態では、第１の単元推進薬を噴射する噴射装置は、環状チャネルを含む。
【００４４】
第２の電極は、タングステン又はタングステン／レニウム系の耐熱金属で作られるのがよい。
【００４５】
電力供給回路は、ＤＣ電源と、少なくとも１つのキャパシタと、スイッチとを有するのがよく、スイッチは、例えば、電力トランジスタ又はサイリスタを含む。かかる状況では、第１の電極を構成する噴射器は、電気的な接地に近い電位を有するのが有利である。
【００４６】
変形実施形態では、電力供給回路は、ＤＣ電源と、少なくとも１つのキャパシタと、チョッパ回路と、電圧上昇型変圧器とを有し、電圧上昇型変圧器は、互いに電気的に絶縁された一次側と二次側を有し、一次側は、チョッパ回路に接続され、二次側は、第２の電極と第１の電極を構成する前記噴射器との間に接続される。
【００４７】
本発明の特定の特徴によれば、絶縁体は、自由に膨張することができるように取付けられた第１の絶縁体部分と、第２の電極と絶縁体支持部との間を密封する第２の絶縁体部分とを有する。
【００４８】
かかる状況では、第１の絶縁体部分は、窒化硼素又はアルミナで作られた少なくとも１つのセラミックブロックを含む。
【００４９】
第２の絶縁体部分は、アルミナで作られ、最初に第２の電極にろう付けされ、次いで絶縁体支持部にろう付けされるのがよい。
【００５０】
変形実施形態では、第２の絶縁体部分は、可撓性材料で作られ、可撓性材料は、ＰＴＦＥ、ＰＴＦＣＥ、ベスペル（Vespel；登録商標）、及びガラス繊維入りＰＴＦＥのうちの１つを含み、第２の絶縁体部分は、絶縁体支持部に取付けられたパッキン内に設けられる。
【００５１】
変形実施形態では、第２の絶縁体部分は、同軸ケーブル用のコネクタを受け入れる同軸ケーブルソケットと組合されるのがよい。
【００５２】
本発明の他の特徴及び利点は、添付の図面を参照して、実施例として与えられる特定の実施形態について行われる以下の説明から明らかである。
【図面の簡単な説明】
【００５３】
【図１】本発明の第１の実施形態における、中央アノードを有する電解式点火ヘッドの概略的な軸線方向断面図である。
【図２】図１の電解式点火ヘッドの端面図である。
【図３】電解式点火部を有する先行技術のプラズマスラスタの電気回路の概略図である。
【図４】先行技術の電熱スラスタの予備放電室の一例の軸線方向断面図である。
【図５】本発明の第２の実施形態における環状噴射方式の電解式点火ヘッドの概略的な軸線方向断面図である。
【図６】主噴射器に組込まれた本発明の点火ヘッド及び燃焼室を示す概略的な軸線方向断面図である。
【図７】２部品の絶縁体を有する、本発明の電解式点火ヘッドの変形実施形態の概略的な軸線方向断面図である。
【図８】パッキンと結合した絶縁体を有する、本発明の電解式点火ヘッドの変形実施形態を示す概略的な軸線方向断面図である。
【図９】傾斜した密封出口を有する、本発明の電解式点火ヘッドの変形実施形態の概略的な軸線方向断面図である。
【図１０】電力回路を組込んだ電解式点火ヘッドの変形実施形態の概略的な軸線方向断面図である。
【図１１】電圧上昇型変圧器を組込んだ電力供給回路を有する、本発明の電解式点火ヘッドの概略図である。
【発明を実施するための形態】
【００５４】
図１を参照すると、本発明の電解式点火器の第１の例が示され、電解式点火器は、単元液体推進薬式ロケットエンジンの燃焼室に取付け可能な主噴射器に組込まれるように設計されている。
【００５５】
図示の電解式点火器は、接地電位に近い電位を有する噴射器２を有し、この噴射器は、カソードを構成する。
【００５６】
噴射器２は更に、電解液噴射装置を有し、電解液噴射装置は、少なくとも１つの、好ましくは複数の噴射孔１と接続された電解液分配チャネル３を有し、噴射孔１は、自由ジェットを、絶縁体４によって噴射器２の本体から電気的に絶縁されている中央電極５に向かって放出することが可能である。
【００５７】
図示の例では、中央電極５は、噴射器２を越えて中心軸線方向下流側に延びるアノードを形成している。
【００５８】
電解液分配チャネル３への電解液の供給は、電解液１３を収容したタンク１２から電磁弁１１を介して行われ、電解液１３は、有利には、主噴射器（図６参照）の燃料噴射装置１５によって送出される単元推進薬と異なる化合物で構成される。
【００５９】
図１及び図２の実施形態では、電解液噴射孔１は、中心軸線ＸＸ′の周りにリング状に分配されている。
【００６０】
変形例では、図５に示すように、電解式単元推進薬噴射装置は、環状チャネルを有するのがよく、環状チャネルは、場合によっては大きな流量を得ることを可能にする円錐形シート状流れ１０６を作り出す。
【００６１】
図１の例では、バスバー又は母線１０から分岐されたＤＣ電源を有する電力供給回路が概略的に示されている。ＤＣ電源７の負極は、噴射器２の本体に接続され、かくして、噴射器２の本体はカソードを構成する。ＤＣ電源７の正極は、スイッチ９を介して中央電極５に接続され、中央電極５は、アノードを構成する。
【００６２】
数百ボルトの電位を中央電極５に付与することを可能にするキャパシタ（コンデンサ）８が、ＤＣ電源７の出力に並列に接続されている。キャパシタ８を放電させることにより、非常に高い瞬間電圧レベルを得ることを可能にする。スイッチ９は、例えば、電力トランジスタ又はサイリスタによって構成されるのがよい。
【００６３】
電磁弁１１は、電解液ジェット６の噴射を制御する。この電磁弁１１が開いているとき、噴射孔１又は環状チャネル１０１から出た電解液ジェット６（図１参照）又は１０６（図５参照）は、アノードを構成する中央電極５と、カソードを構成する噴射器２の本体とを接触させる。
【００６４】
電解電流に起因する加熱により、放電が生じ、この放電は、電解によって加熱されたジェット６又は電解によって加熱された円錐形シート状流れ１０６により、点火されたジェット１４を生じさせる。
【００６５】
図２は、噴射器２を示し、噴射器２は、例えば、９つの電解液噴射孔１を有している。噴射孔１の数は、送出される流量の関数として選択される。
【００６６】
図２の左側部分は、点火シーケンスの前の噴射器を示し、図２の右側部分は、電解液ジェット６を噴射する動作中の噴射器を示している。
【００６７】
噴射孔１から出た電解液ジェット６が、点火のための混合ガスを生成する噴射器２の下流側に位置すること、及び、噴射器２の本体の外側に位置する領域内で中央電極５に当たることに注目することが重要である。
【００６８】
かくして、電解液中の高い電流密度、電解液の迅速な加熱、及び起こることがある電気アークの発生が、噴射器の内部ではなく、噴射器２の下流側のトーチ内において引起こされる。
【００６９】
先行技術の装置と異なり、電解は、自由ジェット中で生じ、２つの電極相互間の閉込め空間内では生じない。
【００７０】
５０Ｖ〜１０００Ｖ、好ましくは１００Ｖ〜５００Ｖの比較的高い電圧の電力供給源は、液体が加熱された後の蒸気中の絶縁破壊を回避するのに役立つ。しかしながら、電圧レベルは、電気的な絶縁の問題を回避するのに十分低いままである。
【００７１】
電解液は、ニトレート(nitrate)を主成分とする無毒性の単元推進薬によって構成されるのがよく、かかる単元推進薬は、水溶性燃料を添加した種々のニトレートの水溶液を含み、水溶性燃料は、例えば、アルコール、トリエタノールアンモニウムニトレート（ＴＥＡＮ; triethanolammonium nitrate）であり、ニトレートは、例えば、ヒドロキシルアンモニウムニトレート（ＨＡＮ; hydroxyl ammonium nitrate）、アンモニウムジニトラミド（ＡＤＮ; ammonium di-nitramide）、ヒドラジニウムニトロホルメート（ＨＮＦ; hydrazinium nitro-formate）である。
【００７２】
イオン溶液中のニトレート単元推進薬の自己分解による点火は、電解液の加熱によって得られる。
【００７３】
ニトレートの水溶液は、温度Ｔの上昇と共に増大する高いイオン伝導率“Ｃ”を有する（非特許文献２参照）。
【００７４】
この伝導率は、−１２℃で及び濃度７０％で、１オームセンチメートル当たり０．０５（０．０５（Ω．ｃｍ）-1）に達し、＋４０℃において０．２（Ω．ｃｍ）-1に達する。これは、関係式１ｎ（Ｃ）＝１／（Ｔ−Ｔｏ）に従っている。
【００７５】
本発明に従って自由ジェット６を配置することにより、高い抵抗が得られると共に数百ボルトのオーダーの高電圧で動作させることを可能にする。加熱は、噴射器２の外側で起こる。自由ジェットが中央電極５に到達する前に点火した場合、ガスは、燃焼室内で自由に膨張することができる。
【００７６】
蒸気の膜が中央電極５の上（ジェットの最も高温の部分）に生じたとき、電流は遮られ、電圧が膜の上下に現われる。圧力と距離の積がパッシェンの最低値よりも小さいので、絶縁破壊が生じ、火花が加熱状態の混合物の残部を点火する。
【００７７】
加熱は、殆どの揮発性化学種、例えばアルコールの選択的蒸発（蒸留）を生じさせる。空気と混合されるアルコール蒸気は、点火を容易にする。
【００７８】
次の例は、多ジェット型噴射器を用いた場合の放電の物理的パラメータに関する大きさの程度を示す。
【００７９】
個々のジェットにおいて、直径：１ｍｍ、長さ：５ｍｍ、速度：３メートル毎秒（ｍ／ｓ）、質量流量：３．３グラム毎秒（ｇ／ｓ）、電圧：Ｖｏ＝５００Ｖである。
【００８０】
推進薬の温度は、噴射器の出口のところにおいて、２９８Ｋである。
【００８１】
初期消費電力は、６００ワット（Ｗ）（抵抗＝４１０オーム（Ω））である。
【００８２】
２ミリ秒（ｍｓ）後、ジェットの温度プロフィールは安定化し始め、ジェットの下流部分は、３９８Ｋ（１２５℃）に達する。
【００８３】
消費電力は、１５６０Ｗに達し、ジェットの抵抗は、１６０オームである。
【００８４】
５つのオリフィスを備えた点火器ヘッドの場合、次の数値のようになり、即ち、初期電力：３０００Ｗ、２ｍｓでの電力：７８００Ｗ、流量：１６．５ｇ／ｓである。
【００８５】
比較例として、１６．５ｇ／ｓの流量において単元推進薬の発熱分解によって送出される熱出力は、５０ｋＷよりも高い。
【００８６】
電力は、キャパシタ８によって供給され、キャパシタ８は、放電の際に消散されるエネルギーの少なくとも２倍のエネルギーを貯えることができる。
【００８７】
電解電流は、１５．６Ａに達し、電力トランジスタによって構成されたスイッチ９によって制御されるのがよい。
【００８８】
キャパシタ８は、電解式点火器を備えたロケットエンジンを有する人工衛星又はミサイルのバスバー１０に接続された電圧上昇型ＤＣ／ＤＣ変換器７を介して（好ましくは一定電流で）充電される。
【００８９】
単元推進薬の噴射は、それと同時に電圧が印加される電磁弁１１によって制御されるが、電流は、約５ｍｓ〜１０ｍｓ、即ち、弁の反応時間の間、流れない。
【００９０】
いったん点火が得られたら、電力トランジスタ又はサイリスタによって構成されたスイッチ９を閉じることによって、電流を遮断するのがよい。
【００９１】
電流の遮断により、電磁弁１１を閉じ、かくして、液体ジェットを途切れさせる。
【００９２】
変形例では、エネルギーは、迅速充電型バッテリに貯えられもよい。
【００９３】
本発明では、点火が液体中で起こるので、点火は、圧力に対して比較的敏感ではなく、点火器は、液体の沸騰が速やかでない真空中でも、数メガパスカル（ＭＰａ）の大気圧の下でも、等しく良好に動作することができる。点火器は又、シミュレーション高度（数百パスカル（Ｐａ））においても動作することができる。
【００９４】
これとは対照的に、電気スパークプラグ式点火器は、宇宙真空ではない動作圧力によって妨げられたり、大気圧ではない動作圧力によって妨げられたりすることがある。
【００９５】
シミュレーション高度における作動、又は、上層大気中における作動は、動作電圧が非常に高い（１０ｋＶ〜２０ｋＶ）ので、電力供給源及びケーブルに絶縁の問題を生じさせる場合がある。
【００９６】
高圧下での動作は、困難になり、ガスの絶縁容量が増大し、それにより、点火が一層複雑になる。
【００９７】
電解式点火器は、５００Ｖのオーダーの適度な電圧を用い、それにより、特にシミュレーション高度での動作に対応する圧力範囲において、絶縁の問題を単純化する。
【００９８】
図１１では、交流を用いて電解を実施する変形実施形態が示されている。
【００９９】
電解式点火器を備えたロケットエンジンが搭載された人工衛星又はミサイルのバスバー１０等のＤＣ電源から送られたエネルギーは、スーパーキャパシタ８又はバッテリに貯えられ、キャパシタ８は、１０キロヘルツ（ｋＨｚ）〜１００ｋＨｚの範囲の周波数で１００Ａ以上の電流を制御することができる電力トランジスタ（例えば、絶縁ゲートバイポーラトランジスタ（ＩＧＢＴ））によって構成されるチョッパ回路９１に電力を供給し、且つ、電圧上昇型変圧器９２、好ましくはフェライト変圧器に電力を供給し、変圧器９２の二次側は、噴射器２の本体によって構成された第１の電極と中央電極５によって構成された第２の電極との間の電解式点火器に直接電力を供給する。
【０１００】
変圧器９２及びチョッパ回路９１のトランジスタは、短期間（数十ミリ秒）しか動作しないので、大がかりな冷却を行う必要はない。
【０１０１】
中央電極５を有する電解式点火器は、図１、図２及び図１１を参照して、前に説明した。
【０１０２】
電解液ジェット中におけるイオン伝導による電力の消費により、電解液の絶縁破壊、又は、電解液が単元推進薬である場合にはその自然分解を引起こすのに十分な温度上昇を生じさせ、その結果、点火されたジェットが、電解式点火器を包囲する主噴射器１５（図６参照）の出口のところに形成される。
【０１０３】
図６では、噴射器２及び中央電極５を有する電解式点火器が、主噴射器１５に組込まれ、主噴射器は、本質的には、単元推進薬噴射装置を含み、単元推進薬噴射装置は、ディスペンサ１（小出し装置）５ａと、噴射チャネル１５ｂとを有し、噴射チャネル１５ｂは、中央電極５及び電解式点火器への噴射を行うための噴射孔１の周りにリング状に分布し、燃焼室１７内に開口する。
【０１０４】
かくして、電解式点火器は、ロケットエンジンの燃焼室１７の主噴射器１５に組込まれ、その軸線上に位置している。図６では、噴射孔１から供給される単元推進薬の導電性ジェット６が、中央アノード５に当たり、領域１４が、点火のための燃焼ガスを含み、主噴射器１５のチャネル１５ｂから来た単元推進薬のジェット２８が、点火すべき燃焼ガスの領域１４に入り込んで、燃焼ガスを点火し、それにより、主火炎１８を生じさせる。燃焼室１７の壁は、融除（表面除去）可能な種類のものであるのがよい。
【０１０５】
ディスペンサ１５ａへの供給は、主弁１６を介して行われ、この主弁は、空気圧式であってもよいし、電気空気圧式であってもよいし、電気油圧式であってもよく、圧力下では、単元推進薬によって制御され、ディスペンサ３への供給は、ソレノイド弁１１を介して行われる。
【０１０６】
図７〜図１０は、第２の電極を形成する中央電極５と、第１の電極を形成する噴射器２の本体との間に介在する絶縁体の特定の実施形態を示す。図１、図２、図５、図６及び図１１と同様の単純化の理由で、図７〜図１０は、主噴射器１５を示していない。
【０１０７】
同様に、図７〜図１０は、すべての電力供給回路を示しているわけではなく、電力供給回路は、図１及び図１１を参照して説明した電力供給回路に類似しているのがよく、また、図８〜図１１は、電解液分配部３と関連した要素、例えば、電磁弁１１、タンク１２を示していない。
【０１０８】
図７は、２つの部分で構成された電気絶縁体を示す。燃焼室に面するように位置する下流部分４１は、セラミックのブロックであり、自由に膨張することができるための隙間を有するように取付けられている。上流部分４２は、密封を行う。上流部分４２は、絶縁体支持部１９と中央電極５とにろう付けされている。この構成により、電気絶縁体４１，４２が、端効果及び燃焼圧力によって生じる圧縮を受けることを可能にする。
【０１０９】
下流部分４１は、窒化ホウ素又はアルミナで構成されるのがよく、上流部分４２は、アルミナで構成されるのがよい。
【０１１０】
図７において、参照符号２０は、電気接続部を示す。
【０１１１】
図８は、パッキンを有する電気絶縁体を示す。
【０１１２】
電気絶縁体の下流部分４１は、防火壁を構成し、図７の実施形態の下流部分４１と類似するように作られるのがよい。
【０１１３】
中央電極５は、パッキンによって密封され且つ保持され、パッキンは、下流部分４１の近くに位置する可撓性絶縁体４２ｂと、絶縁スラストワッシャ４２ａと、噴射器２の後部分１９ａに締め付けられたナット２３とによって構成されている。
【０１１４】
可撓性絶縁体４２ｂは、ポリテトラフルオロエチレン（ＰＴＦＥ）、ポリトリフルオロクロロエチレン（ＰＴＦＣＥ）、又は、ガラス繊維又はこれに類似した材料の入ったＰＴＦＥ（例えば、ベスペル（Vespel；登録商標）という名称で供給業者デュポンから販売されている製品）で作られるのがよい。
【０１１５】
図９は、最小の嵩を有するように複数の部分で構成された電気絶縁体を示す。
【０１１６】
図９に示すように、絶縁体の下流部分はそれ自体、２つ又は３つの部分４１ａ，４１ｂ，４１ｃに更に分割されている。絶縁体の上流部分４２は、曲り部を有するよう作られている。上流部分４２は、噴射器２の後部分にねじ止めされ又は溶接された金属シャッタ５１によって、適所に設置され且つ保持されるのがよい。
【０１１７】
中央電極５のための電力供給ケーブル２４は、金属シャッタ５１に装着されたソケット５２と結合した結合要素５３によって、同軸ケーブル２５に接続されるのがよい。
【０１１８】
図８及び図９の実施形態は、放電電流によって生じる電磁干渉を最小にするのに役立つ。
【０１１９】
図１０は、噴射器２の本体に装着されたハウジング５０内に組込まれた電力回路を有する電解式点火器の一例を示す。電気絶縁体は、図８の実施形態のように、２つの部分４１，４２で作られるのがよい。
【０１２０】
キャパシタ８と、スイッチを形成する電力トランジスタ９は、ハウジング５０内に組込まれている。
【０１２１】
中央電極５との接続部２０は、電力トランジスタ９を支持するプリント回路の形態をなすのがよい。かくして、電気接続部は、軽量であり且つ小さな曲率半径に順応できる低電力ケーブル２４だけによって構成されている。
【０１２２】
上述の種々の実施形態において、中央電極５は、タングステン又はタングステン／レニウム系の耐火金属で作られるのがよい。
【図１】
2010523877.tif 000003
【図２】
2010523877.tif 000004
【図３】
2010523877.tif 000005
【図４】
2010523877.tif 000006
【図５】
2010523877.tif 000007
【図６】
2010523877.tif 000008
【図７】
2010523877.tif 000009
【図８】
2010523877.tif 000010
【図９】
2010523877.tif 000011
【図１０】
2010523877.tif 000012
【図１１】
2010523877.tif 000013
【国際調査報告】
2010523877.tif 000014
2010523877.tif 000015
2010523877.tif 000016
2010523877.tif 000017
2010523877.tif 000018
2010523877.tif 000019